(57)【要約】【課題】輝度の変化する外光を光源として用いる液晶表示装置において、低消費電力化を図る。【解決手段】外光検出回路１Ｓにより外光の輝度の変化が検出され、その輝度を示す検出信号ＤがドライバＩＣに入力される。このとき、第１のテーブルメモリ２８により、検出信号Ｄが示す外光の輝度に応じてフリッカ率が０となるフレーム周波数が選択される。このフレーム周波数に対応した周波数の駆動クロックが発振器２７により生成され、その駆動クロックを基に表示パネル１が駆動される。即ち、表示パネル１は各外光の輝度で最適なフレーム周波数に切り換えられて駆動されるため、各輝度ではフリッカ率が０となるとともに、消費電力を極力抑えることができる。【選択図】図２
2008139753.tif 000002
【特許請求の範囲】
【請求項１】
外光を光源とする複数の画素を含む液晶表示パネルと、
前記外光の輝度を検出する外光検出回路と、
前記外光検出回路により前記外光の輝度の変化が検出されたときに、前記液晶表示パネルのフリッカ率が一定値以下となるように、前記液晶表示パネルのフレーム周波数を変更する制御回路と、を備えることを特徴とする液晶表示装置。
【請求項２】
前記外光の輝度と前記液晶表示パネルのフリッカ率が一定値以下となるフレーム周波数の関係を示すデータが格納されたメモリを備え、前記制御回路はこのメモリに格納されたデータに基づいて、前記液晶表示パネルのフレーム周波数を変更することを特徴とする請求項１に記載の液晶表示装置。
【請求項３】
前記メモリに格納されたデータは、前記外光の輝度と前記液晶表示パネルのフリッカ率が０となるフレーム周波数の関係を示すことを特徴とする請求項１又は２に記載の液晶表示装置。
【請求項４】
外光を光源とする複数の画素を含む液晶表示パネルと、
前記外光の輝度を検出する外光検出回路と、
前記外光検出回路により前記外光の輝度の変化が検出されたときに、前記液晶表示パネルのフリッカ率が一定値以下となるように、前記液晶表示パネルに表示データが書き込まれるフレーム数である、書き込みフレーム数を変更する制御回路を備えることを特徴とする液晶表示装置。
【請求項５】
前記外光の輝度と前記液晶表示パネルのフリッカ率が一定値以下となる書き込みフレーム数の関係を示すデータが格納されたメモリを備え、前記制御回路はこのメモリに格納されたデータに基づいて、前記液晶表示パネルの書き込みフレーム数を変更することを特徴とする請求項４に記載の液晶表示装置。
【請求項６】
前記メモリに格納されたデータは、前記外光の輝度と前記液晶表示パネルのフリッカ率が０となる書き込みフレーム数の関係を示すことを特徴とする請求項４又は５に記載の液晶表示装置。
【請求項７】
前記液晶表示パネルに表示データを書き込むためのソースドライバを備え、前記制御回路は、表示データの書き込みが行われないフレームにおいて、ソースドライバの動作を停止させることを特徴とする請求項４乃至６のいずれかに記載の液晶表示装置。
【請求項８】
前記外光検出回路は、外光の輝度に応じたリーク電流を生じるトランジスタを備え、そのリーク電流の増減により、前記外光の輝度の変化を検出することを特徴とする請求項１乃至７のいずれかに記載の液晶表示装置。
【発明の詳細な説明】
【技術分野】
【０００１】
本発明は、液晶表示装置に関し、特に、輝度の変化する外光を光源として用いる液晶表示装置に関する。
【背景技術】
【０００２】
液晶表示装置は、バックライトや外光等の光源を必要としている。バックライトを光源とする液晶表示装置では、不要なバックライトの消費電力を抑えるために、必要に応じて、バックライトをオンとオフの２段階に切り換えていた。
【０００３】
一般に液晶表示装置のフレーム周波数（１秒当たりのフレーム数）が低い場合にはフリッカが視認されやすいが、バックライトの輝度が低い時には、フレーム周波数が低い場合であっても、フリッカは視認されにくい。
【０００４】
そこで、バックライトのオンとオフが切り換えられる液晶表示装置では、バックライトのオンとオフの切り換えに応じて、高低の２段階にフレーム周波数を切り換えることにより、低消費電力化を図っていた。
【０００５】
即ち、この方式は、バックライトのオン時にはフレーム周波数を高くし、バックライトのオフ時にはフレーム周波数を低くすることによって、液晶表示装置の駆動に伴う消費電力の低減を図るものである。この種の液晶表示装置は特許文献１に記載されている。
【特許文献１】特開平６−８３５０１号公報
【発明の開示】
【発明が解決しようとする課題】
【０００６】
しかしながら、反射型や半透過型の液晶表示装置のように、輝度の変化する外光を光源として用いる液晶表示装置に関しては、低消費電力化が未だ不十分であった。
【課題を解決するための手段】
【０００７】
そこで、本発明は、輝度の変化する外光を光源として用いる液晶表示装置において、低消費電力化を図るものである。
【０００８】
本発明の液晶表示装置は、外光を光源とする複数の画素を含む液晶表示パネルと、外光の輝度を検出する外光検出回路と、外光検出回路により外光の輝度の変化が検出されたときに、液晶表示パネルのフリッカ率が一定値以下となるように、液晶表示パネルのフレーム周波数を変更する制御回路と、を備えることを特徴とする。
【０００９】
かかる構成によれば、外光の輝度に応じてフレーム周波数を複数の段階に切り換えることにより、液晶表示装置の消費電力を低減できる。
【００１０】
また、本発明の液晶表示装置は、外光を光源とする複数の画素を含む液晶表示パネルと、外光の輝度を検出する外光検出回路と、外光検出回路により外光の輝度の変化が検出されたときに、液晶表示パネルのフリッカ率が一定値以下となるように、液晶表示パネルに表示データが書き込まれるフレーム数である、書き込みフレーム数を変更する制御回路を備えることを特徴とする。
【００１１】
かかる構成によれば、外光の輝度に応じた頻度でソースドライバのオン及びオフを切り換えることにより、液晶表示装置の消費電力を低減できる。
【発明の効果】
【００１２】
本発明の液晶表示装置によれば、輝度の変化する外光を光源として用いる液晶表示装置において、フリッカの発生を防止しながら低消費電力化を図ることができる。
【発明を実施するための最良の形態】
【００１３】
以下に、本発明の第１の実施の形態について図面を参照しながら説明する。図１は、本発明の第１の実施形態にかかる液晶表示装置の概略構成図である。図１では、液晶表示パネル（以降、「表示パネル」と略称する）１を断面図で示し、その他の構成要素についてはブロック構成図により示している。また、図２は、図１の液晶表示装置を示すブロック構成図であり、表示パネル１に設けられた外光検出回路１ＳとドライバＩＣ２０を示すものである。なお、この表示パネル１は、外光を光源として液晶ＬＣの透過光量を制御して表示を行う反射型であるものとする。
【００１４】
最初に、この液晶表示装置の概略構成について説明する。図１に示すように、表示パネル１は、第１の絶縁基板１１と第２の絶縁基板１４によって封止された液晶ＬＣからなる。第１の絶縁基板１１には、画素１Ｐ毎に、表示信号Ｖｓｉｇが供給される画素トランジスタ１２が形成されている。各画素トランジスタ１２には、表示信号Ｖｓｉｇを一定期間保持する不図示の保持容量が設けられている。また、各画素トランジスタ１２には、画素トランジスタ１２を通して表示信号Ｖｓｉｇが印加される画素電極１３が接続されている。この画素電極１３は、それ自体が外光を反射する反射金属層により構成されるか、又は透明金属層と外光を反射する反射材料との組み合わせにより構成される。第２の絶縁基板１４には、透明金属からなり共通電位が印加される共通電極１５が形成されている。
【００１５】
また、図示しないが、第１の絶縁基板１１上には、画素１Ｐに表示信号Ｖｓｉｇを供給して水平走査を行う水平ドライバと、行毎に画素１Ｐを順次選択する走査信号を供給して垂直走査を行う垂直ドライバが形成されている。
【００１６】
さらに、本実施形態の特徴として、表示パネル１には、表示パネル１に入射する外光の輝度を検出する外光検出回路１Ｓが設けられている。図２に示すように、外光検出回路１Ｓは、ゲート及びソースが接地されドレインにバイアス電圧２Ｂが接続された薄膜トランジスタ（以降、「ＴＦＴ」と略称する）２を備えている。
【００１７】
このＴＦＴ２に外光が入射すると、その輝度に応じて、光リーク電流としてドレイン電流Ｉｄが流れる。このドレイン電流Ｉｄは、ＴＦＴ２の不図示の能動層に存在する空乏層に外光が入射して電子正孔対が発生したことにより生じるリーク電流である。
【００１８】
ＴＦＴ２のドレイン電流Ｉｄと外光の輝度の関係について本発明の発明者が測定した結果を、図３の特性グラフに示す。図３では、縦軸にドレイン電流Ｉｄ（光リーク電流）［ｐＡ］が対応し、横軸に外光の輝度［ｃｄ／ｍ２］が対応している。図３から明らかなように、ドレイン電流Ｉｄと外光の輝度には略相関が認められることから、このドレイン電流Ｉｄを、外光の輝度の検出信号Ｄとして扱うことができる。
【００１９】
この検出信号Ｄは、図１及び図２に示すように、表示パネル１と接続されたドライバＩＣ２０の電流検出回路３１に入力される。電流検出回路３１については後述する。ドライバＩＣ２０は、検出信号Ｄに応じて、表示信号Ｖｓｉｇ、垂直スタートパルスＳＴＶ、垂直クロックＣＫＶ、水平スタートパルスＳＴＨ、水平クロックＣＫＨ等の駆動信号を表示パネル１に供給し、そのフレーム周波数を制御する。
【００２０】
なお、外光検出回路１Ｓは、外光の輝度を示す検出信号Ｄを出力するものであれば、上記以外の構成を有してもよい。例えば、ＴＦＴ２の替わりに、外光の輝度に応じた電流を出力するものであれば、他の種類のトランジスタ、受光素子、又は電子デバイスが設けられてもよい。
【００２１】
上述した表示パネル１に対して本願の発明者による光学的測定が行われた結果、図４に示すような表示パネル１のフリッカ率とフレーム周波数の関係が明らかになった。図４は、表示パネル１のフリッカ率とフレーム周波数の関係を示す特性グラフであり、縦軸はフリッカ率に、横軸はフレーム周波数［Ｈｚ］に対応している。図４では、表示パネル１に入射されることが想定される外光の各輝度が、２７００、２１００、１５００、８００［ｃｄ／ｍ２］である場合に測定した結果を示している。
【００２２】
ここで、フリッカ率は、表示パネル１の表示光（即ち画素電極１３で反射された外光）を光学測定器により測定した場合のフリッカ実効値を輝度で除した値である。また、フレーム周波数は、１秒当たりのフレーム数（画面数）である。
【００２３】
図４から明らかなように、各輝度において、フレーム周波数がある値を超えると、フリッカ率が０になることが分かる。例えば、２７００［ｃｄ／ｍ２］では５０［Ｈｚ］のときにフリッカ率は０になり、表示パネル１においてフリッカが視認されなくなる。同様に、２１００［ｃｄ／ｍ２］では４０［Ｈｚ］のときに、１５００［ｃｄ／ｍ２］では３０［Ｈｚ］のときに、８００［ｃｄ／ｍ２］では２０［Ｈｚ］のときにフリッカ率は０となる。
【００２４】
図４の特性グラフを基にして、フリッカ率が０になるときの各輝度とフレーム周波数の関係を調べると図５のような特性グラフが得られる。図５では、縦軸はフレーム周波数［Ｈｚ］に、横軸は外光の輝度［ｃｄ／ｍ２］に対応している。図５から明らかなように、各輝度とフレーム周波数には略線形性が認められるため、上記以外の輝度においてフリッカ率が０となるフレーム周波数についても求めることができる。
【００２５】
一般に、フレーム周波数を上げるとフリッカ率が低下するものの消費電力が増大する。これに対して本実施形態では、フリッカ率を０にすることと、消費電力を極力抑えることを両立させるために、外光検出回路１Ｓにより外光の輝度の変化が検出されるたびに、フリッカ率が０となる各フレーム周波数を図５の特性グラフに従って決定し、そのフレーム周波数によって表示パネル１を駆動する。
【００２６】
次に、このような液晶表示装置の詳細について図面を参照して説明する。図２に示すように、表示パネル１と接続されたドライバＩＣ２０には、ＣＰＵインターフェイス（以降、「ＣＰＵＩ／Ｆ」と略称する）２１Ｃを通して入力されたコマンドＣＭＤに応じて制御されるメモリコントローラ２１が設けられている。また、デジタルデータであるビデオデータがメモリコントローラ２１を通して読み書きされるビデオメモリ２２と、ビデオメモリ２２に書き込まれたビデオデータの出力を制御する出力コントローラ２３と、出力コントローラ２３から出力されたビデオデータのグレースケールを選択する階調選択器２４と、ビデオデータを増幅して表示パネル１に出力する第１のソースドライバ２５が設けられている。
【００２７】
また、ドライバＩＣ２０には、出力コントローラ２３のタイミングを制御するタイミングコントローラ２６と、所定のフレーム周波数に応じた周波数の駆動クロックを生成して、これをタイミングコントローラ２６に入力する発振器２７が設けられている。
【００２８】
さらに、ドライバＩＣ２０には、図５の特性グラフに従って決定された各外光の輝度に対応したフレーム周波数のテーブルが格納された第１のテーブルメモリ２８が設けられている。
【００２９】
ここで、第１のテーブルメモリ２８に格納されたテーブルでは、表示パネル１に入射することが想定される外光の輝度が、例えば２７００、２１００、１５００、８００［ｃｄ／ｍ２］であるとすると、図５の特性グラフに従って、各輝度に対して５０、４０、３０、２０［Ｈｚ］のフレーム周波数が対応している。この場合のテーブルを図６に示す。
【００３０】
なお、多様な外光の輝度に対応すべく、第１のテーブルメモリ２８のテーブルにおける輝度の間隔は、上記より小さな間隔であってもよい。この場合、第１のテーブルメモリ２８には、図５の特性グラフに従って、上記以外の輝度に対応して、フリッカ率を０にするフレーム周波数のテーブルが格納される。
【００３１】
また、ドライバＩＣ２０には、外光検出回路１ＳのＴＦＴ２から入力された微小なドレイン電流Ｉｄ（光リーク電流）を増幅する電流検出回路３１と、そのドレイン電流ＩｄをＡ／Ｄ変換するＡ／Ｄコンバータ３２が設けられている。
【００３２】
次に、この液晶表示装置の動作について説明する。ドライバＩＣ２０に入力されたビデオデータ（デジタルデータ）は、ＣＰＵＩ／Ｆ２１Ｃを通して入力されたコマンドＣＭＤに応じて、メモリコントローラ２１によりビデオメモリ２２に書き込まれる。このビデオデータは、出力コントローラ２３によって、タイミングコントローラ２６の制御により階調選択器２４に出力される。ビデオデータは、階調選択器２４によってグレースケールの調整が行われた後、第１のソースドライバ２５によってアナログ信号として増幅され、表示信号Ｖｓｉｇとして表示パネル１に供給される。
【００３３】
表示パネル１は、水平走査及び垂直走査によって表示信号Ｖｓｉｇを画素１Ｐに供給する。表示の際は、表示信号Ｖｓｉｇが画素電極１３に印加され、共通電極１５との間の電界に応じて液晶ＬＣの配向方向が変化することにより、画素電極１３で反射された外光の透過光量の制御が行われる。
【００３４】
上記水平走査及び垂直走査は、第１のテーブルメモリ２８の各輝度とフレーム周波数のテーブルに応じて切り換えられたフレーム周波数によって行われる。
【００３５】
即ち、表示パネル１に入射する外光の輝度が変化すると、外光検出回路１ＳのＴＦＴ２の光リーク電流であるドレイン電流Ｉｄが変化する。外光検出回路１Ｓは、この外光の輝度に応じて流れるドレイン電流Ｉｄを検出信号ＤとしてドライバＩＣに入力する。この検出信号Ｄは微小電流であるため、電流検出回路３１により増幅されて、Ａ／Ｄコンバータ３２によりデジタルデータに変換される。
【００３６】
すると第１のテーブルメモリ２８は、デジタルデータとなった検出信号Ｄを参照し、その検出信号Ｄの輝度（又はそれに近似する輝度）に対応したフレーム周波数のデータを発振器２７に入力する。
【００３７】
発振器２７は、このフレーム周波数のデータに応じた周波数の駆動クロックを生成し、これをタイミングコントローラ２６に入力する。タイミングコントローラ２６は、発振器２７の駆動クロックと、これとは別に入力された各種の駆動信号、例えば水平同期信号ＨＳＹＮＣ、垂直同期信号ＶＳＹＮＣ、基準クロックＰＣＬＫ等を基に、垂直スタートパルスＳＴＶ、垂直クロックＣＫＶ、水平スタートパルスＳＴＨ、及び水平クロックＣＫＨ等の駆動信号を生成する。
【００３８】
生成された上記駆動信号は表示パネル１に入力される。表示パネル１において、不図示の垂直ドライバにより、垂直スタートパルスＳＴＶ及び垂直クロックＣＫＶに応じて、画素１Ｐの画素トランジスタ１２へ走査信号が順次印加され、外光の輝度に対応したフレーム周波数により垂直走査が行われる。また、不図示の水平ドライバにより、水平スタートパルスＳＴＨ、及び水平クロックＣＫＨに応じて表示信号Ｖｓｉｇが画素１Ｐに順次供給されて水平走査が行われる。
【００３９】
この動作は、外光検出回路１Ｓにより外光の輝度の変化が検出される度に、第１のテーブルメモリ２８により各外光の輝度に対応したフレーム周波数が選択されて繰り返される。
【００４０】
こうして、表示パネル１は各外光の輝度で最適なフレーム周波数に切り換えられて駆動されるため、各輝度ではフリッカ率が０となるとともに、消費電力を極力抑えることができる。
【００４１】
以下に、本実施形態にかかる第２の実施形態について図面を参照して説明する。図７は、本実施形態にかかる液晶表示装置を示すブロック構成図である。この液晶表示装置の概略構成は、図１に示した第１の実施形態と同じである。また、図７では、図１及び図２に示した構成要素のうち、同一のものについては同一の符号を付して説明を省略する。
【００４２】
第１の実施形態では、図５の特性グラフに従って、外光検出回路１Ｓにより検出された外光の輝度に応じてフレーム周波数を切り換え、そのフレーム周波数に応じて発振器２７の駆動クロックの周波数を変更していた。これに対し、本実施形態では、フレーム周波数は一定、即ち発振器２７により生成される駆動クロックの周波数は一定である。そのうえで、外光検出回路１Ｓにより検出された各外光の輝度に応じて、表示信号Ｖｓｉｇが書き込まれるフレームを間引くことで、書き込みフレーム数を変化させ、フリッカの発生を防止しながら消費電力を抑えることを特徴とする。
【００４３】
図７に示すように、表示パネル１と接続されたドライバＩＣ４０には、第１のテーブルメモリ２８の替わりに、第２のソースドライバ４５及びタイミングコントローラ２６に接続された第２のテーブルメモリ４８が設けられている。第２のテーブルメモリ４８には、表示パネル１に入射されることが想定される外光の各輝度と、その輝度に対応した１秒当たりの書き込みフレーム数のテーブルが格納されている。
【００４４】
書き込みフレーム数は、駆動クロックの周波数を一定とした場合において、表示信号Ｖｓｉｇが書き込まれるフレーム、即ち表示信号Ｖｓｉｇが画素１Ｐに供給されるフレームが１秒当たりにどれだけ存在するかを示している。表示信号Ｖｓｉｇが書き込まれないフレームにおいては、直前のフレームの表示信号Ｖｓｉｇが画素１Ｐの不図示の保持容量に保持されて表示が行われる。以降、このフレームを保持フレームと呼ぶことにする。
【００４５】
書き込みフレーム数は、図５の各輝度においてフリッカ率が０となるフレーム周波数に対応している。ここで、外光の各輝度が２７００、２１００、１５００、８００［ｃｄ／ｍ２］であるとすると、例えば２７００［ｃｄ／ｍ２］の輝度においては、フリッカ率が０となるフレーム周波数は５０［Ｈｚ］であるため、書き込みフレーム数は５０［フレーム／秒］となる。また、２１００［ｃｄ／ｍ２］の輝度においては、フリッカ率が０となるフレーム周波数は４０［Ｈｚ］であるため、書き込みフレーム数は４０［フレーム／秒］となる。同様に、１５００［ｃｄ／ｍ２］の輝度においては、書き込みフレーム数は３０［フレーム／秒］となり、８００［ｃｄ／ｍ２］の輝度においては、書き込みフレーム数は２０［フレーム／秒］となる。この場合のテーブルを図８に示す。
【００４６】
なお、多様な外光の輝度に対応すべく、第２のテーブルメモリ４８のテーブルにおける輝度の間隔は、上記より小さな間隔であってもよい。この場合、第２のテーブルメモリ４８には、図５の特性グラフに従って、上記以外の輝度に対応して、フリッカ率を０にする書き込みフレーム数のテーブルが格納される。
【００４７】
また、第２のテーブルメモリ４８は、各書き込みフレーム数の替わりに、各書き込みフレーム数に対応した保持フレーム数が格納されてもよい。例えば、外光の各輝度が２７００、２１００、１５００、８００［ｃｄ／ｍ２］であり、駆動クロックの周波数が５０［Ｈｚ］であるとすると、各輝度に対して０、１０、２０、３０［フレーム／秒］の保持フレーム数が対応する。これらの保持フレーム数は、駆動クロックの周波数の値と、図５の各輝度に対応するフレーム周波数の各値との差により求められる。
【００４８】
次に、この液晶表示装置の動作について説明する。ドライバＩＣ４０に入力されたビデオデータが第２のソースドライバ４５に至るまでの動作は、第１の実施形態と同様である。第２のソースドライバ４５は、第１の実施形態の第１のソースドライバ２５と同様にビデオデータをアナログ信号として増幅し、表示信号Ｖｓｉｇとして、表示パネル１へ供給する。しかし、第２のソースドライバ４５は、第１の実施形態とは異なり、第２のテーブルメモリ４８のテーブルを参照することにより、外光検出回路１Ｓにより検出された外光の輝度、即ち検出信号Ｄの輝度（又はそれに近似する輝度）に対応する書き込みフレーム数に応じて、表示パネル１に対する表示信号Ｖｓｉｇの供給、及び供給の停止を制御する。
【００４９】
表示信号Ｖｓｉｇが書き込まれるフレームでは、タイミングコントローラ２６からの水平スタートパルスＳＴＨ及び水平クロックＣＫＨに応じて、表示信号Ｖｓｉｇが不図示の水平ドライバから画素１Ｐに供給されて水平走査が行われる。この水平走査が、垂直スタートパルスＳＴＶ及び垂直クロックＣＫＶに応じて順次繰り返されて１フレームの垂直走査が行われる。
【００５０】
一方、表示信号Ｖｓｉｇの書き込みが行われないフレーム、即ち保持フレームでは、第２のソースドライバ４５の動作は停止する。また、タイミングコントローラ２６は、垂直スタートパルスＳＴＶ、垂直クロックＣＫＶ、水平スタートパルスＳＴＨ、及び水平クロックＣＫＨの供給を停止する。これにより、そのフレームおいて画素トランジスタ１２はオフされると共に、画素１Ｐへの表示信号Ｖｓｉｇの書き込みが停止する。画素１Ｐの不図示の保持容量には、直前に書き込まれた表示信号Ｖｓｉｇが保持されており、この表示信号Ｖｓｉｇにより表示が行われる。
【００５１】
このようにして、図８のテーブルに従って各輝度に応じた書き込みフレーム数を変更することにより、等価的に各輝度に応じたフレーム周波数を変更したことになり、フリッカ率の発生が防止される。
【００５２】
また、保持フレームにおいて、第２のソースドライバ４５の動作を停止しているため、ドライバＩＣ４０側の消費電力を極力抑えることができる。また、保持フレームにおいて画素トランジスタ１２がオフされると共に、画素１Ｐへの表示信号Ｖｓｉｇの書き込みが停止することによって、画素１Ｐの不図示の保持容量の充放電回数が低減するため、表示パネル１側の消費電力を抑えることができる。
【００５３】
なお、上記第１及び第２の実施形態において、図５の特性グラフにおける各輝度に対応したフレーム周波数は、所望の表示品位が得られるものであれば、フリッカ率が０以外の所定の値、例えば略０となるように決定されてもよい。この場合、図４に基づいて、各輝度において所定のフリッカ率を得ることができる最小のフレーム周波数を抽出し、図５と同様の輝度とフレーム周波数の関係を示す特性グラフを求めればよい。この特性グラフを基に、第１のテーブルメモリ２８又は第２のテーブルメモリ４８の各テーブルが決定される。
【００５４】
また、上記第１及び第２の実施形態において、図５の輝度とフレーム周波数の関係は、略線形性を有することから、その線形カーブを関数により近似し、その関数に基づいて、外光検出回路１Ｓが検出した外光の各輝度に対するフレーム周波数又は書き込みフレーム数を求めてもよい。この場合、第１のテーブルメモリ２８又は第２のテーブルメモリ４８の替わりに、上記関数に基づいて各輝度に対するフレーム周波数又は書き込みフレーム数を求める演算回路が設けられる。
【００５５】
また、上記第１及び第２の実施形態では、液晶表示装置の表示パネル１は、図１に示すように反射型であるとしたが、バックライトを光源とし透明な画素電極を有した透過領域と、図１の画素１Ｐと同様に外光を光源とする反射領域とを備えた半透過型の表示パネルであってもよい。半透過型の表示パネルの場合は、第１および第２のテーブルメモリ２８，４８にバックライトがオンの時のフレーム周波数および書き込みフレーム数のデータを予め格納しておき、バックライトのオン／オフ信号に基づいて、バックライトがオンの時には、前記予め格納したフレーム周波数および書き込みフレーム数のデータに基づいて、表示の制御を行なうように構成してよい。すなわち、第１の実施形態においては、バックライトがオンの時には、第１のテーブルメモリ２８からバックライトがオンの時のフレーム周波数のデータを発振器２７に入力し、他方、第２の実施形態においては、バックライトがオンの時には、第２のテーブルメモリ４８からバックライトがオンの時の書き込みフレーム数のデータを第２のソースドライバ４５に入力することで、表示の制御を行なう。第２のテーブルメモリ４８に書き込みフレーム数の替わりに、書き込みフレーム数に対応した保持フレーム数を格納する場合も同様である。
【図面の簡単な説明】
【００５６】
【図１】本発明の第１の実施形態にかかる液晶表示装置の概略構成図である。
【図２】本発明の第１の実施形態にかかる液晶表示装置を示すブロック構成図である。
【図３】薄膜トランジスタのドレイン電流（光リーク電流）と外光の輝度の関係を示す特性グラフである。
【図４】フリッカ率とフレーム周波数の関係を示す特性グラフである。
【図５】本発明の第１の実施形態にかかる液晶表示装置のフレーム周波数と外光の輝度の関係を示す特性グラフである。
【図６】第１のテーブルメモリに格納される輝度とフレーム周波数のテーブルである。
【図７】本発明の第２の実施形態にかかる液晶表示装置を示すブロック構成図である。
【図８】第２のテーブルメモリに格納される輝度と書き込みフレーム数のテーブルである。
【符号の説明】
【００５７】
１  表示パネル                  １Ｐ  画素
１Ｓ  外光検出回路              ２  薄膜トランジスタ（ＴＦＴ）
１１  第１の絶縁基板            １２  画素トランジスタ
１３  画素電極                  １４  第２の絶縁基板
１５  共通電極
２０，４０  ドライバＩＣ        ２１Ｓ  ＣＰＵインターフェイス
２１  メモリコントローラ        ２２  ビデオメモリ
２３  出力コントローラ          ２４  階調選択器
２５  第１のソースドライバ      ２６  タイミングコントローラ
２７  発振器                    ２８  第１のテーブルメモリ
３１  電流検出回路              ３２  Ａ／Ｄコンバータ
４５  第２のソースドライバ      ４８  第２のテーブルメモリ
ＬＣ  液晶
【図１】
2008139753.tif 000003
【図２】
2008139753.tif 000004
【図３】
2008139753.tif 000005
【図４】
2008139753.tif 000006
【図５】
2008139753.tif 000007
【図６】
2008139753.tif 000008
【図７】
2008139753.tif 000009
【図８】
2008139753.tif 000010